(57)【要約】【課題】  ユーザの足型に適合する既製靴等を当該ユーザに教示することができる既製靴教示装置及びプログラムを提供する。【解決手段】  靴型選択手段３４０は、制御手段３３５から指示されるユーザの足型（すなわち三次元足寸法データ）に適合する靴型データを、靴型データ選択条件ＳＣに従って適合する順番で複数選択し、靴画像データ抽出手段３５０及び表示手段３７０に供給する。靴画像データ抽出手段３５０は、靴型選択手段３４０から供給される複数の靴型データのうち、制御手段３３５から指示された靴型データに対応する靴画像データ（すなわち、靴型データによって特定される靴型を用いて製造された靴の画像データ）を抽出し、これを表示手段３７０に供給する。表示手段３７０は、靴型選択手段３４０から供給される靴型データや靴画像データ抽出手段３５０から供給される靴画像データ等を表示する。【選択図】      図４
2005169015.tif 000002
【特許請求の範囲】
【請求項１】
足寸法データを入力する入力手段と、
既製靴を特定するための靴データと該既製靴の靴型を特定するための靴型データとの対を複数記憶する記憶手段と、
前記複数の靴型データの中から、入力される前記足寸法データに適合する靴型データを少なくとも１つ以上選択する選択手段と、
選択された前記靴型データに対応する前記靴データを前記記憶手段から抽出する抽出手段と、
抽出された靴データを報知する報知手段と
を具備することを特徴とする適合既製靴教示装置。
【請求項２】
前記靴型データには、靴型のサイズをあらわす靴型サイズ情報が含まれ、
前記報知手段は、抽出された前記靴データと選択された前記靴型データとを報知することを特徴とする請求項１に記載の適合既製靴教示装置。
【請求項３】
前記選択手段は、靴型データ選択条件に従って、入力される前記足寸法データに適合する靴型データを適合する順番で複数選択し、
前記抽出手段は、選択された複数の靴型データの中のいずれか１つの靴型データに対応する前記靴データを前記記憶手段から抽出し、
前記報知手段は、抽出された前記靴データと選択された前記複数の靴型データと各靴型データの選択順とを報知することを特徴とする請求項１に記載の適合既製靴教示装置。
【請求項４】
前記抽出手段によって抽出される前記靴データに対応する靴型データの指定指示を入力する靴型データ指定入力手段をさらに備え、
前記抽出手段は、指定された前記靴型データに対応する前記靴データを前記記憶手段から抽出することを特徴とする請求項３に記載の適合既製靴教示装置。
【請求項５】
前記靴型データ選択条件は、第１の選択条件と該第１の選択条件とは異なる第２の選択条件とからなり、前記選択手段は、前記複数の靴型データの中から前記第１の選択条件に合致する靴型データを選択し、選択した靴型データの中から前記第２の選択条件に適合する靴型データを適合する順番で複数選択することを特徴とする請求項３に記載の適合既製靴教示装置。
【請求項６】
前記第１の選択条件は、足長、足幅、足回りの各々のパラメータについて所定の重み付けをした条件であり、前記第２の選択条件は、前記足長、足幅、足回りの各々のパラメータについて前記所定の重み付けとは異なる重み付けをした条件であることを特徴とする請求項４に記載の適合既製靴教示装置。
【請求項７】
前記靴データは、既製靴の画像データであり、前記報知手段は、抽出した前記画像データを表示する表示手段を備えることを特徴とする請求項１〜６のいずれか１の請求項に記載の適合既製靴報知装置。
【請求項８】
前記報知手段は、前記抽出手段によって抽出される前記画像データが複数ある場合、前記表示手段に表示される前記画像データを所定時間毎に切り換える表示切り換え手段をさらに具備することを特徴とする請求項７に記載の適合既製靴教示装置。
【請求項９】
ユーザ管理サーバと、該ユーザ管理サーバと通信ネットワークを介して接続された請求項１に記載の複数の適合既製靴教示装置とを備えたシステムであって、
前記各適合既製靴教示装置は、
前記入力手段から前記足寸法データを含むユーザ情報を入力し、入力したユーザ情報を前記通信ネットワークを介して前記ユーザ管理サーバへ送信する一方、前記ユーザ管理サーバに記憶されている既登録ユーザ情報の配信を要求し、
前記ユーザ管理サーバは、
前記各適合既製靴教示装置から送信される各ユーザ情報を受信し、受信した各ユーザ情報を記憶手段に記憶する一方、前記適合既製靴教示装置から前記既登録ユーザ情報の配信要求があった場合には、該要求に応じた既登録ユーザ情報を前記記憶手段から読み出し、前記通信ネットワークを介して当該適合既製靴教示装置に配信することを特徴とする適合既製靴教示システム。
【請求項１０】
足寸法データを入力する入力手段と、
既製靴の画像データと該既製靴の靴型を特定するための靴型データとの対を複数記憶する記憶手段と、
前記既製靴の画像データを複数表示する表示手段と、
表示されている複数の画像データの中から少なくとも１つ以上の画像データの指定指示を入力する画像データ指定入力手段と、
前記記憶手段に記憶されている複数の靴型データの中から、前記足寸法データに適合し、かつ、指定された前記画像データに対応する靴型データを特定する靴型データ特定手段と、
特定した靴型データを報知する報知手段と
を具備することを特徴とする適合既製靴教示装置。
【請求項１１】
足寸法データを入力する入力手段と、
既製靴の靴型の選択条件を入力する選択条件入力手段と、
既製靴の画像データと該既製靴の靴型を特定するための靴型データとの対を複数記憶する記憶手段と、
前記記憶手段に記憶されている複数の靴型データの中から、前記足寸法データに適合し、かつ、前記靴型の選択条件に合致する靴型データを特定する靴型データ特定手段と、
特定した靴型データと該靴型データに対応する既製靴の画像データとを表示する表示手段と
を具備することを特徴とする適合既製靴教示装置。
【請求項１２】
既製靴を特定するための靴データと該既製靴の靴型を特定するための靴型データとの対を複数記憶する記憶手段を備えたコンピュータを、
足寸法データを入力する入力手段と、
前記複数の靴型データの中から、入力される前記足寸法データに適合する靴型データを少なくとも１つ以上選択する選択手段と、
選択された前記靴型データに対応する前記靴データを前記記憶手段から抽出し、抽出した靴データを報知手段に出力する抽出手段として機能させるためのプログラム。
【発明の詳細な説明】
【技術分野】
【０００１】
本発明は、ユーザ等が所望する既製靴を教示するための適合既製靴教示装置、適合既製靴教示システム及びプログラムに関する。
【背景技術】
【０００２】
自分に合う靴を選ぶというのは非常に困難であり、たとえ靴のデザインが気に入って購入したとしても、その靴のサイズと足のサイズとが合っていなければひどい靴ずれ等が生じてしまう。このような問題に対処するべく、ユーザの足型等を予め測定し、靴型を製作したうえでユーザの足型、大きさにジャスト・フィットしたオーダーメード靴を製造するシステムが種々提案されている。例えば下記特許文献１や下記特許文献２には、３次元計測器によって計測したユーザの足型計測データに基づいて、予め登録されている複数種類の靴型データの中から最も近似した靴型データを選択し、この靴型データをもとに当該ユーザの足型にジャスト・フィットした靴等を製造するシステムが開示されている。
【０００３】
【特許文献１】特開２００２−２３０３５７号公報（第３頁）
【特許文献２】特開２００２−１９９９０５号公報（第４頁）
【発明の開示】
【発明が解決しようとする課題】
【０００４】
上記各特許文献に開示されたシステムによれば、ユーザは自分の足に最もフィットした靴を購入することができる。しかしながら、このようなオーダーメード靴を購入するためには、３次元計測器等によって足型を測定した後、靴型等を製造するとともに、靴の材質や形の選択等を行ってから靴を製造する必要があり、購入コストが高くつき、時間もかかる。靴を購入する大部分のユーザは、自分の足型にできるだけ合った靴を安値にかつスピーディーに購入したいと考えるのが常である。このようなユーザは、結局、なじみの靴小売店等に出向き、試し履き等しておおよそ自分の足型等に合うであろう既製靴を購入するほかないというのが現状であった。
【０００５】
本発明は、以上説明した事情を鑑みてなされたものであり、ユーザの足型に適合する既製靴等を当該ユーザに教示することができる適合既製靴教示装置及びプログラムを提供することを目的とする。
【課題を解決するための手段】
【０００６】
上述した問題を解決するため、本発明に係る適合既製靴教示装置は、足寸法データを入力する入力手段と、既製靴を特定するための靴データと該既製靴の靴型を特定するための靴型データとの対を複数記憶する記憶手段と、前記複数の靴型データの中から、入力される前記足寸法データに適合する靴型データを少なくとも１つ以上選択する選択手段と、選択された前記靴型データに対応する前記靴データを前記記憶手段から抽出する抽出手段と、抽出された靴データを報知する報知手段とを具備することを特徴とする。
【０００７】
かかる構成によれば、ユーザの足寸法をあらわす足寸法データが入力されると、この足寸法データに適合する靴型データが選択され、さらに、該靴型データを用いて製造された既製靴を特定するための靴データが抽出され、この靴データが報知されるため、ユーザは、自身の足寸法に適合する既製靴を把握することが可能となる。
【０００８】
ここで、前記靴型データには、靴型のサイズをあらわす靴型サイズ情報が含まれ、前記報知手段は、抽出された前記靴データと選択された前記靴型データとを報知する態様が好ましい。また、前記選択手段は、靴型データ選択条件に従って、入力される前記足寸法データに適合する靴型データを適合する順番で複数選択し、前記抽出手段は、選択された複数の靴型データの中のいずれか１つの靴型データに対応する前記靴データを前記記憶手段から抽出し、前記報知手段は、抽出された前記靴データと選択された前記複数の靴型データと各靴型データの選択順とを報知する態様がさらに好ましい。
【０００９】
また、前記抽出手段によって抽出される前記靴データに対応する靴型データの指定指示を入力する靴型データ指定入力手段をさらに備え、前記抽出手段は、指定された前記靴型データに対応する前記靴データを前記記憶手段から抽出する態様も好ましい。さらに、前記靴型データ選択条件は、第１の選択条件と該第１の選択条件とは異なる第２の選択条件とからなり、前記選択手段は、前記複数の靴型データの中から前記第１の選択条件に合致する靴型データを選択し、選択した靴型データの中から前記第２の選択条件に適合する靴型データを適合する順番で複数選択するようにしても良い。
【００１０】
また、前記第１の選択条件は、足長、足幅、足回りの各々のパラメータについて所定の重み付けをした条件であり、前記第２の選択条件は、前記足長、足幅、足回りの各々のパラメータについて前記所定の重み付けとは異なる重み付けをした条件である態様が好ましい。また、前記靴データは、既製靴の画像データであり、前記報知手段は、抽出した前記画像データを表示する表示手段を備える態様が好ましい。また、前記報知手段は、前記抽出手段によって抽出される前記画像データが複数ある場合、前記表示手段に表示される前記画像データを所定時間毎に切り換える表示切り換え手段をさらに具備する態様が好ましい。
【発明の効果】
【００１１】
以上説明したように、本発明によれば、ユーザの足型に適合する既製靴等を当該ユーザに教示することが可能となる。
【発明を実施するための最良の形態】
【００１２】
以下、本発明に係る実施の形態について図面を参照しながら説明する。
Ａ．第１実施形態
図１は、第１実施形態に係る適合既製靴教示システム１００の構成を示す図である。この適合既製靴教示システム１００は、量産される複数種類の既製靴の中からユーザの足型に適合する既製靴を教示するためのシステムであり、靴小売店等に設置されている三次元足寸法測定装置２００と、この３次元足寸法測定装置２００と有線（若しくは無線）接続されたパーソナルコンピュータシステム（適合既製靴教示装置）３００とを備えている。なお、本実施形態では、３次元足寸法測定装置２００によって測定された足の各部位の寸法データ（後述する三次元足寸法データ）を有線若しくは無線を介してパーソナルコンピュータシステム３００に入力する場合を想定するが、これに限定する趣旨ではない。例えば、３次元足寸法測定装置２００によって測定された足の各部位の寸法データをＦＤ（Floppy Disk：登録商標）、ＭＯ（Magneto Optical disk）、ＣＤ（Compact Disc）等の記録媒体に記録し、記録媒体経由で足の各部位の寸法データをパーソナルコンピュータシステム３００に入力するようにしても良い。
【００１３】
三次元足寸法測定装置２００は、既製靴（以下、単に靴という）の購入を検討するユーザの足の各部位（つま先、かかと等）の寸法を測定する装置である。この３次元足寸法測定装置２００には、多数のＣＣＤカメラ、各部位の寸法データを作成するためのソフトウェア等が内蔵されている。なお、具体的なものとしては、じゃ・ネっと社製のshoeMAXが挙げられる。図２に示すように、三次元足寸法測定装置２００には、ユーザの足を載置するための凹部２１０が設けられ、この凹部２１０にユーザの右足若しくは左足が非加重状態で載置されることにより、土踏まず（アーチ）を考慮した足の各部位の寸法が測定される。このようにして測定されたデータは、図３に示す足長Ｌをあらわす足長データ、足幅Ｗをあらわす足幅データ、足周Ｃをあらわす足周データ等を含む三次元足寸法データとしてパーソナルコンピュータシステム３００に出力される。
【００１４】
パーソナルコンピュータシステム３００は、一般的なパーソナルコンピュータシステムと同様、ＣＰＵ、ＲＯＭ、ＲＡＭ等によって構成されたコントローラ、ハードディスク装置、キーボードやマウス等を備えた操作部、ＬＣＤ若しくはＣＲＴ等を備えた表示装置、及び三次元足寸法測定装置２００との間を接続するための通信インタフェースを備えている。図４は、パーソナルコンピュータシステム３００の機能構成を示す図である。
データ入力手段３１０は、操作部、通信インタフェース等によって構成され、三次元足寸法測定装置２００から供給される三次元足寸法データや、操作部の操作内容に応じた様々な操作データ（後述）を入力する。
【００１５】
第１記憶手段３２０は、ハードディスク装置等によって構成され、データ入力手段３１０から供給される各ユーザの三次元足寸法データ等を記憶する。図５は、第１記憶手段３２０に格納されているユーザ管理テーブルＴＡを例示した図である。ユーザ管理テーブルＴＡには、各ユーザを識別するためのユーザＩＤ、ユーザ氏名、三次元足寸法データがそれぞれ対応づけて登録されている。ユーザは、三次元足寸法測定装置２００を利用して足寸法を測定すると、操作部を適宜操作してユーザＩＤ、ユーザ氏名の入力を行う。かかる操作がなされることにより、ユーザＩＤ、ユーザ氏名、該ユーザの３次元足寸法データがユーザ管理テーブルＴＡに新たに登録される。
【００１６】
第２記憶手段３３０は、ハードディスク装置等によって構成され、三次元足寸法データを表示装置に表示するためのＣＡＤ（Computer Aided Design）変換ソフトウェアや、図６に示すような靴型・靴管理テーブルＴＢを記憶する。靴型・靴管理テーブルＴＢには、複数の靴データと靴型データとが対応づけて登録されている。靴データは、靴を特定するためのデータであって、パンプス、ハイヒールといった靴タイプを特定するための靴コード情報、既製靴の外観形状を表示装置に表示するための靴画像データＰ等によって構成されている。一方、靴型データは、対応する靴の靴型を特定するためのデータであって、靴型タイプを特定するための靴型コード情報、靴型のサイズ（21.5〜24.5等）をあらわす靴型サイズ情報、靴型の各寸法（長さ；○×△0mm、幅；△□×mm、周囲；○○×mm等）をあらわす靴型寸法情報等によって構成されている。
【００１７】
制御手段３３５は、コントローラ等によって構成され、データ入力手段３１０から供給される操作データ等に従って靴型選択手段３４０、靴画像データ抽出手段３５０等に様々な指示を送る。なお、制御手段３３５に関する詳細は後述する。
靴型選択手段３４０は、コントローラ等によって構成され、制御手段３３５から指示されるユーザの足型（すなわち三次元足寸法データ）に適合する靴型データを、靴型データ選択条件ＳＣに従って選択する手段である。
【００１８】
図７は、靴型データ選択条件ＳＣの内容を例示した図である。靴型データ選択条件ＳＣは、一次選択条件ＳＣ１と二次選択条件ＳＣ２とにより構成されている。一次選択条件ＳＣ１は、足長、足幅、足周の各々のパラメータに所定の重み付け（０〜１００等）を施した条件であり、多数存在する靴型の中から三次元足寸法データに適合しない靴型を除去するために利用される条件である。一方、二次選択条件ＳＣ２は、足長、足幅、足周の各々のパラメータに上記一次選択条件ＳＣ２とは異なる重み付け（０〜１００等）を施した条件であり、一次選択条件ＳＣ１によって除去されなかった靴型（すなわち、一次選択条件ＳＣ１によって選択された靴型）の中から、三次元足寸法データに適合する靴型を適合する順番で選択するために利用される条件である。
【００１９】
靴型選択手段３４０は、制御手段３３５から三次元足寸法データの指定指示を受け取ると、指定されたユーザの三次元足寸法データをユーザ管理テーブルＴＡ（図５参照）から読み出す。そして、靴型選択手段３４０は、上記一次選択条件ＳＣ１を利用することにより、読み出した三次元足寸法データに適合しない靴型を除去する。さらに、靴型選択手段３４０は、二次選択条件ＳＣ２を利用することにより、一次選択条件ＳＣ１によって選択された靴型の中から三次元足寸法データに適合する靴型を、適合する順番で選択するとともに、三次元足寸法データに適合する各靴型のサイズを特定する。そして、靴型選択手段３４０は、選択した各靴型に対応する靴型データ（すなわち靴型コード情報、靴型サイズ情報及び靴型寸法情報）を靴型・靴管理テーブルＴＢから読み出し、これら各靴型データに選択順を示すフラグ（以下、靴型選択優先順位フラグという）を付加して靴画像データ抽出手段３５０及び表示手段３７０に供給する。
【００２０】
靴画像データ抽出手段３５０は、コントローラ等によって構成され、靴型選択手段３４０から供給される複数の靴型データのうち、制御手段３３５から指示された靴型データに対応する靴画像データＰを抽出する手段である。なお、靴型データの指示がない場合には、三次元足寸法データに最も適合する靴型データに対応する画像データＰが抽出される。詳述すると、靴画像データ抽出手段３５０は、制御手段３３５から靴型データの指示がない場合、上述した靴型選択優先順位フラグを参照することにより、三次元足寸法データに最も適合する靴型データを特定する。そして、靴画像データ抽出手段３５０は、特定した靴型データを検索キーとして靴型・靴管理テーブルＴＢを検索することにより、靴型データに対応する靴画像データＰを抽出する。なお、特定した靴型データに対応する靴画像データＰが複数存在する場合には、これら全ての靴画像データＰが靴画像データ抽出手段３５０によって抽出される。
【００２１】
画像生成手段３６０は、コントローラ等によって構成され、指示されたユーザの足型をあらわす足型画像ＦＰ（図８参照）を生成する一方、指示された靴型をあらわす靴型画像ＭＰ（図８参照）を生成する手段である。画像生成手段３６０は、足型画像ＦＰ及び靴型画像ＭＰを生成すると、これらを表示手段３７０に供給する。
【００２２】
表示手段３７０は、表示装置等によって構成され、靴型選択手段３４０から供給される複数の靴型データ、靴画像データ抽出手段３５０から供給される靴画像データ、画像生成手段３６０から供給される足型画像ＦＰや靴型画像ＭＰ等を表示する手段である。図８は、表示装置に表示される画面を例示した図である。図８に示すように、表示画面は、メニュー画面Ｗ１とメイン画面Ｗ２とにより構成されている。メニュー画面Ｗ１には、各種コマンドボタン等が表示される一方（詳細は後述）、メイン画面Ｗ２には、靴型データ、靴画像データＰ等が表示される。
【００２３】
メイン画面Ｗ２について詳述すると、メイン画面Ｗ２の左欄Ｌの上段Ｌ１には、指定されたユーザのユーザＩＤ、ユーザ氏名、三次元足寸法データが表示され、メイン画面Ｗ２の左欄Ｌの下段Ｌ３には、靴型選択手段３４０から供給される複数の靴型データ（靴型コード情報及び靴型サイズ情報のみ）がユーザの足型、すなわちユーザの三次元足寸法データに適合する順番で表示される。また、メイン画面Ｗ２の左欄Ｌの中段Ｌ２には、左欄Ｌの下段Ｌ３に表示される靴型データのうち、ユーザによって指定された靴型データ（靴型コード情報、靴型サイズ情報及び靴型詳細情報）が表示される。なお、靴型データの指定がない場合には、図８に示すように、三次元足寸法データに最も適合する靴型データが左欄Ｌの中段Ｌ２に表示される。
【００２４】
一方、メイン画面Ｗ２の中欄Ｃには、画像生成手段３６０によって生成された足型画像ＦＰと靴型画像ＭＰとを重ね合わせたものが表示される。なお、足型画像ＦＰと靴型画像ＭＰとを同色で表示すると、足型画像ＦＰと靴型画像ＭＰとを区別することができない。このため、本実施形態においては、足型画像ＦＰと靴型画像ＭＰとを区別できるように、それぞれ異なる色（例えば、足型画像ＦＰを茶色、靴型画像ＭＰを青色）で表示している。また、メイン画面Ｗ２の右欄Ｒには、靴画像データ抽出手段３５０から供給される靴画像データＰが表示される。なお、表示手段（表示切り換え手段）３７０は、表示すべき靴画像データＰが複数ある場合、メイン画面Ｗ２の右欄Ｒに表示する靴画像データＰを所定時間毎（例えば、３秒毎）に順次切り換えることで全ての靴画像データＰを表示する。
以上が本実施形態に係る適合既製靴教示システム１００の詳細構成である。以下、適合既製靴教示システム１００の動作について説明する。
【００２５】
（２）実施形態の動作
ユーザは、三次元足寸法測定装置２００の凹部２１０（図２参照）に右足、左足を軽く載置して足の各部位の寸法測定を行った後、パーソナルコンピュータシステム３００の操作部を適宜操作してユーザ氏名、ユーザＩＤの入力を行う。かかる操作がなされると、三次元足寸法測定装置２００からパーソナルコンピュータシステム３００に３次元足寸法データが転送され、この３次元足寸法データとともに、入力されたユーザＩＤ、ユーザ氏名がユーザ管理テーブルＴＡに新たに登録される。
【００２６】
その後、ユーザは、パーソナルコンピュータシステム３００のマウス等を適宜操作して、メニュー画面Ｗ１に表示される教示ボタンＢ１（図８参照）をクリック操作する。かかる操作がなされると、新たに登録されたユーザの３次元足寸法データに適合する靴型、靴等を教示すべき指示がデータ入力手段３１０から制御手段３３５に通知される。制御手段３３５は、かかる通知に従って当該ユーザの３次元足寸法データに適合する靴型データの選択指示を靴型選択手段３４０に送るとともに、当該ユーザの３次元足寸法データに基づく足型画像ＦＰの生成指示を画像生成手段３６０に送る。さらに、制御手段３３５は、当該ユーザのユーザＩＤ、ユーザ氏名、三次元足寸法データをユーザ管理テーブルＴＡから読み出し、これを表示手段３７０に供給する。
【００２７】
靴型選択手段３４０は、制御手段３３５からの通知に従って３次元足寸法データに適合する靴型を適合する順番で選択し、選択した靴型に対応する靴型データを靴型・靴管理テーブルＴＢから読み出す。そして、靴型選択手段３４０は、これら各靴型データに靴型選択優先順位フラグを付加して靴画像データ抽出手段３５０、画像生成手段３６０及び表示手段３７０に供給する。
【００２８】
靴画像データ抽出手段３５０は、靴型選択手段３４０から複数の靴型データを受け取ると、指示された靴型データに対応する靴画像データを靴型・靴管理テーブルＴＢから抽出する。ただし、ここでは、制御手段３３５から靴型データの指示がないため、靴画像データ抽出手段３５０は、三次元足寸法データに最も適合する靴型データに対応する靴画像データＰを抽出する。そして、靴画像データ抽出手段３５０は、このようにして抽出した靴画像データＰを表示手段３７０に供給する。
【００２９】
画像生成手段３６０は、制御手段３３５からの通知に従って当該ユーザの三次元足寸法データに基づき足型画像ＦＰを生成する一方、指示された靴型データに基づき靴型画像ＭＰを生成する。そして、画像生成手段３６０は、生成した足型画像ＦＰ及び靴型画像ＭＰを表示手段３７０に供給する。ただし、ここでは、制御手段３３５から靴型データの指示がないため、画像生成手段３６０は、三次元足寸法データに最も適合する靴型データに基づき靴型画像ＭＰを生成する。
【００３０】
表示手段３７０は、制御手段３３５、靴型選択手段３４０、靴画像データ抽出手段３５０、画像生成手段３６０から供給される各種データ等をメイン画面Ｗ２に表示する。これにより、図８に示すように、メイン画面Ｗ２の左欄Ｌの上段Ｌ１には当該ユーザのユーザＩＤ、ユーザ氏名、三次元足寸法データが表示され、左欄Ｌの下段Ｌ３には複数の靴型データが該三次元足寸法データに適合する順番で表示され、左欄Ｌの中段Ｌ２には該三次元足寸法データに最も適合する靴型データが表示される。さらに、メイン画面Ｗ２の中欄Ｃには足型画像ＦＰと三次元足寸法データに最も適合する靴型の靴型画像ＭＰとを重ね合わせたものが表示され、メイン画面Ｗ２の右欄Ｒには靴画像データ抽出手段３５０によって抽出された三次元足寸法データに最も適合する靴型に対応する靴画像データＰが所定時間毎に切り換えられて表示される。
【００３１】
その後、ユーザは、自身の足型に最も適合する靴型の靴ではなく、ｎ番目（以下では２番目を想定）に適合する靴型の靴を知りたいと考えると、図示せぬカーソルを２番目に適合する靴型（図８では、ＳＴ−４）に合わせ、クリック操作する。制御手段３３５は、データ入力手段３１０を介して２番目に適合する靴型が選択された旨の指示を受け取ると、この指示を靴画像データ抽出手段３５０、画像生成手段３６０及び表示手段３７０に供給する。
【００３２】
靴画像データ抽出手段３５０は、この靴型の選択指示に従って２番目に適合する靴型データに対応する靴画像データＰを靴型・靴管理テーブルＴＢから抽出し、表示手段３７０に供給する。一方、画像生成手段３６０は、該靴型の選択指示に従って２番目に適合する靴型データに基づき靴型画像ＭＰを生成し、表示手段３７０に供給する。表示手段３７０は、該靴型の選択指示に従ってメイン画面Ｗ２の表示切り換えを行う。この結果、メイン画面のＷ２の左欄Ｌの中段Ｌ２には、三次元足寸法データに２番目に適合する靴型データが表示され、メイン画面Ｗ２の中欄Ｃには足型画像ＦＰと三次元足寸法データに２番目に適合する靴型に対応する靴画像ＭＰとを重ね合わせたものが表示され、メイン画面Ｗ２の右欄Ｒには三次元足寸法データに２番目に適合する靴型に対応する靴画像データが所定時間毎に切り換えられて表示される。
【００３３】
ユーザは、メイン画面Ｗ２の右欄Ｒに表示される靴画像データの中から購入を希望する靴画像データを特定すると、当該靴画像データをクリック操作する。かかる操作がなされると、メイン画面Ｗ２には該靴画像データに関する詳細情報（靴コード情報や靴のサイズ等）が表示される。なお、３番目以降に適合する靴型を選択すべき指示があったときの動作については、上記２番目に適合する靴型を選択すべき指示があったときの動作とほぼ同様に説明することができるため、省略する。
【００３４】
以上説明したように、本実施形態に係る適合既製靴教示システムによれば、ユーザは、自身の足型に最も適合する靴型及び靴を把握できるだけでなく、自身の足型に適合する靴型及び靴を複数把握することができる。また、ユーザは、実際に靴を試し履き等しなくとも、自身の足型に適合する靴を選択することができる。さらに、靴型については、メイン画面Ｗ２の左欄Ｌの上段Ｌ１に足型に適合する順番で複数表示されるため、ユーザは、どのような靴型が自分の足型に適合するのか等を瞬時に把握することができる。また、メイン画面Ｗ２の右欄Ｒに表示される靴画像データは、ユーザによって選択される靴型に応じて所定時間毎に切り換えられるため、ユーザは、該靴型を適宜選択することにより、自身の足型に適合し、かつ、気に入ったデザインの靴を速やかに選択することができる。
【００３５】
Ｂ．変形例
＜変形例１＞
図９は、表示装置に表示される過去データ検索画面Ｗ３を例示した図である。この過去データ検索画面Ｗ３は、ユーザ管理テーブルＴＡに登録されている複数のユーザの三次元足寸法データの中から所定のユーザの三次元足寸法データを検索するための画面であり、上段ＵにはユーザＩＤ、ユーザ氏名、測定日、最終更新日等を記入する検索指定欄Ｒ１が表示され、中段Ｍには検索を実行するための検索ボタンＢ５が表示され、下段Ｄには検索結果を表示する検索結果表示欄Ｒ２が表示される。かかる検索を行う際、ユーザは、図８に示す過去データ検索ボタンＢ２を操作して過去データ検索画面Ｗ３を表示装置に表示する。そして、ユーザは、マウス等を操作することにより、所望するユーザＩＤ、ユーザ氏名等を検索指定欄Ｒ１に入力し、検索ボタンＢ５をクリックする。
【００３６】
かかる操作がなされると、検索指定欄Ｒ１に入力された情報（以下、ユーザ検索情報という）がデータ入力手段３１０から制御手段３３５に供給される。制御手段３３５は、このユーザ検索情報を検索キーとしてユーザ管理テーブルＴＡを検索することにより、該当するユーザのユーザＩＤ、ユーザ氏名を特定し、これを検索結果表示欄Ｒ２に表示する。ユーザは、検索結果表示欄Ｒ２を参照しながら該検索結果表示欄Ｒ２に表示される複数のユーザ氏名、ユーザＩＤの中から所望するユーザ氏名、ユーザＩＤを特定し、該当する箇所をクリック操作する。
【００３７】
制御手段３３５は、このクリック操作を検知すると、特定したユーザ氏名等に対応する三次元足寸法データをユーザ管理テーブルＴＡから読み出し、これを表示手段３７０に供給する。さらに、制御手段３３５は、該ユーザの３次元足寸法データに適合する靴型データの選択指示を靴型選択手段３４０に送るとともに、当該ユーザの３次元足寸法データに基づく足型画像ＦＰの生成指示を画像生成手段３６０に送る。この結果、上述した本実施形態と同様、メイン画面Ｗ２には、選択されたユーザのユーザＩＤ、ユーザ氏名、三次元足寸法データ及び三次元足寸法データに適合する靴型データ等が表示される。これにより、過去に足型を測定したユーザの足型に適合する靴型データ等を瞬時に把握することができる。なお、制御手段３３５から上記指示が送られた後の動作については、上述した本実施形態と同様に説明することができるため割愛する。
【００３８】
＜変形例２＞
図１０は、変形例２に係る適合既製靴教示システム１００’の構成を示す図である。靴教示システム１００’は、各店舗毎等に設置されている三次元足寸法測定装置２００−ｋ（１≦ｋ≦ｎ）と、各三次元足寸法測定装置２００−ｋと有線（若しくは無線）接続されたパーソナルコンピュータシステム３００−ｋと、各パーソナルコンピュータシステム３００−ｋに登録されているユーザＩＤ、ユーザ氏名、三次元足寸法データ（以下、これらをユーザ情報と総称する）を一元管理するユーザ管理サーバ５００とを備えている。
【００３９】
各パーソナルコンピュータシステム３００−ｋは、インターネット等の通信ネットワーク４００を介してユーザ管理サーバ５００に接続されている。各パーソナルコンピュータシステム３００−ｋに登録されているユーザ情報は、所定期間毎に（あるいは所定のアップロード操作がなされる毎に）通信ネットワーク４００を介してユーザ管理サーバ５００にアップロードされる。ユーザ管理サーバ５００は、各パーソナルコンピュータシステム３００−ｋからユーザ情報を受け取ると、このユーザ情報をユーザデータベース（記憶手段）５１０に順次登録する。ユーザ管理サーバ５００は、パーソナルコンピュータシステム３００−ｋからユーザデータベース５１０に登録されているユーザ情報（既登録ユーザ情報）の配信要求を受け取ると、該配信要求のあったパーソナルコンピュータシステム３００−ｋ（例えば、パーソナルコンピュータシステム３００−１等）に対して上記ユーザ情報を配信する。
【００４０】
かかる構成によれば、ユーザ情報を各店舗間において共用することができ、これによりユーザは足型を測定した店舗（例えば、店舗１）とは異なる店舗（例えば、店舗ｎ）において、自身の足型にあった靴等を選択・購入することが可能となる。                                     
【００４１】
＜変形例３＞
図１１は、表示装置に表示される靴画像データ指定画面Ｗ４を例示した図である。この靴画像データ指定画面Ｗ４は、靴型・靴管理テーブルＴＢに登録されている複数の靴画像データＰの中から所望の靴画像データＰを指定するための画面である。この靴画像データ指定画面Ｗ４を参照する場合、ユーザは、まず、図８に示すメニュー画面Ｗ１に表示される靴検索ボタンＢ３をクリック操作する。かかる操作がなされると、データ入力手段３１０から制御手段３３５に靴画像データ指定画面Ｗ４を表示すべき指示が送られる。制御手段３３５は、この指示に従って靴型・靴管理テーブルＴＢに登録されている全ての靴画像データＰを読み出し、これらを順次表示手段３７０に供給する。これにより、図１１に示すような靴画像データ指定画面Ｗ４が表示手段３７０に表示される。ユーザは、この靴画像データ指定画面Ｗ４を参照し、所望の靴画像データＰ（図１１に示す太枠で囲まれた靴画像データＰ）をクリック操作する。制御手段３３５は、データ入力手段（画像データ指定入力手段）３１０を介して所定の靴画像データＰが指定されたことを検知すると、検知結果を靴型選択手段３４０に通知する。靴型選択手段（靴型データ特定手段）３４０は、かかる通知を受け取ると、指定された靴画像データＰに対応する靴型を選択し、選択した靴型についてユーザの三次元足寸法に適合するサイズを特定する。そして、靴型選択手段３４０は、ユーザの三次元足寸法データに適合し、かつ、選択した靴型に対応する靴型データを靴型・靴管理テーブルＴＢから読み出し、読み出した靴型データを表示手段３７０に供給する。
【００４２】
一方、制御手段３３５は、靴型選択手段３４０によって選択された靴型データをメイン画面Ｗ２の左欄Ｌの中段Ｌ２に表示すべき指示を表示手段３７０に通知する一方、この靴型データに基づき靴型画像ＭＰを生成すべき指示を画像生成手段３６０に送る。この結果、メイン画面Ｗ２の左欄Ｌの中段Ｌ２には、ユーザによって選択された靴画像データに対応する靴型データが表示され、中欄Ｃには該靴型データに基づき生成された靴型画像ＭＰが表示される。なお、他の欄に表示される内容については上述した本実施形態と同様であるため、説明を省略する。かかる構成によれば、ユーザは、デザイン等が気に入った靴について、自分の足型にいかに適合しているか等を瞬時に把握することができる。
【００４３】
＜変形例４＞
図１２は、表示装置に表示される靴型条件入力画面Ｗ５を例示した図である。この靴型条件入力画面Ｗ５は、靴型・靴管理テーブルＴＢに登録されている複数の靴型データの中から、入力される靴型条件に合致する靴型データを抽出するための画面である。ユーザは、靴型条件を入力する場合、まず、図８に示すメニュー画面Ｗ１に表示される靴型条件ボタンＢ４をクリック操作する。かかる操作がなされると、データ入力手段３１０から制御手段３３５に靴型条件入力画面Ｗ５を表示すべき指示が送られる。制御手段３３５は、この指示に従って靴型条件入力画面Ｗ５を表示するための画像データをメモリ（図示略）から取得し、これを表示手段３７０に表示する。
【００４４】
図１２に示すように、靴型条件入力画面Ｗ５には、靴型の幅コード、補助条件（靴型のタイプなど）、ヒールの高さを入力するための靴型条件入力欄Ｒ３及び実行ボタンＢ６等が表示される。ユーザは、この靴型条件入力欄Ｒ３に、例えばヒール高さ「１０ｍｍ」といった靴型条件を入力し、実行ボタンＢ６をクリック操作する。制御手段３３５は、データ入力手段（靴型条件入力手段）３１０を介してヒール高さ「１０ｍｍ」といった靴型条件が入力されたことを検知すると、この靴型条件を靴型選択手段３４０に通知する。
【００４５】
靴型選択手段（靴型データ特定手段）３４０は、通知される靴型条件に合致し、かつ、ユーザの三次元足寸法データに適合する靴型を、適合する順番で順次選択し、選択した各靴型についてユーザの三次元足寸法に適合するサイズを特定する。なお、靴型選択条件に合致する靴型が１つしかない場合には、靴型選択条件に合致する靴型を選択し、選択した靴型についてユーザの三次元足寸法に適合するサイズを特定する。そして、靴型選択手段３４０は、選択した各靴型に対応する靴型データを靴型・靴管理テーブルＴＢから読み出し、読み出した各靴型データに靴型選択優先順位フラグを付加して靴画像データ抽出手段３５０及び表示手段３７０に供給する。
【００４６】
なお、この後の動作については、本実施形態と同様に説明することができるため省略する。この結果、メイン画面Ｗ２（図８参照）の左欄Ｌの下段Ｌ３には、上記選択条件に合致し、かつ、三次元足寸法データに適合する靴型データが適合する順番で表示され、左欄Ｌの中段Ｌ２には、左欄Ｌの下段Ｌ３に表示される靴型データのうち、三次元足寸法データに最も適合する靴型データが表示される。かかる構成によれば、ユーザは、靴型選択条件（例えば、ヒールの高さが１０ｍｍ等）を入力するといった簡単な操作で、所望する靴を直ちに選択することができる。
【００４７】
＜変形例５＞
なお、上述した本実施形態では、ユーザの足の寸法が三次元足寸法測定装置２００によって測定され、測定結果がパーソナルコンピュータシステム３００に入力される場合について説明したが、例えばメジャー等を用いてユーザの足の各部位を測定し、測定結果をキーボード等を用いてパーソナルコンピュータシステム３００に入力するようにしても良い。なお、三次元足寸法データの代わりに二次元足寸法データを用いても良いのはもちろんである。
【００４８】
また、本実施形態では、ユーザの足型に適合する靴を教示する方法として、該ユーザの足型に適合する靴の画像を表示手段３７０に表示する態様を例示したが、例えばユーザの足型に適合する靴のタイプ、靴のサイズを音声出力しても良い。また、本実施形態では、１次選択条件ＳＣ１及び２次選択条件ＳＣ２として、同一パラメータに異なる重み付けが施された条件を例示したが、これに限る趣旨ではなく、１次選択条件ＳＣ１と２次選択条件ＳＣ２とが異なる条件であれば、どのような条件を採用しても良い。
【００４９】
＜変形例６＞
なお、以上説明した本実施形態及び各変形例に係るパーソナルコンピュータシステム３００の諸機能は、ソフトウェア、ハードウェアのいずれによっても実現することができる。ソフトウェアによって実現する場合には、かかるソフトウェアをＣＤ−ＲＯＭ等の記録媒体に記録して頒布したり、インターネット等の通信ネットワークを介して頒布しても良い。
【図面の簡単な説明】
【００５０】
【図１】本実施形態に係る適合既製靴教示システムの構成を示す図である。
【図２】同実施形態に係る二次元足寸法測定装置の外観構成を示す図である。
【図３】同実施形態に係る三次元足寸法データを説明するための図である。
【図４】同実施形態に係るパーソナルコンピュータシステムの機能構成を示すブロック図である。
【図５】同実施形態に係るユーザ管理テーブルを例示した図である。
【図６】同実施形態に係る靴型・靴管理テーブルを例示した図である。
【図７】同実施形態に係る靴型データ選択条件を説明するための図である。
【図８】同実施形態に係るメニュー画面及びメイン画面を例示した図である。
【図９】変形例１に係る過去データ検索画面を例示した図である。
【図１０】変形例２に係る適合既製靴教示システムの構成を示す図である。
【図１１】変形例３に係る靴画像データ指定画面を例示した図である。
【図１２】変形例４に係る靴型条件入力画面を例示した図である。
【符号の説明】
【００５１】
１００、１００’・・・適合既製靴教示システム、２００・・・三次元足寸法測定装置、２１０・・・凹部、３００・・・パーソナルコンピュータシステム、３２０・・・第１記憶手段、３３０・・・第２記憶手段、３３５・・・制御手段、３４０・・・靴型選択手段、３５０・・・靴画像データ抽出手段、３６０・・・画像生成手段、３７０・・・表示手段、４００・・・通信ネットワーク、５００・・・ユーザ管理サーバ、５１０・・・ユーザデータベース、ＴＡ・・・ユーザ管理テーブル、ＴＢ・・・靴型・靴管理テーブル、ＳＣ・・・靴型データ選択条件。
【図１】
2005169015.tif 000003
【図２】
2005169015.tif 000004
【図３】
2005169015.tif 000005
【図４】
2005169015.tif 000006
【図５】
2005169015.tif 000007
【図６】
2005169015.tif 000008
【図７】
2005169015.tif 000009
【図８】
2005169015.tif 000010
【図９】
2005169015.tif 000011
【図１０】
2005169015.tif 000012
【図１１】
2005169015.tif 000013
【図１２】
2005169015.tif 000014